(57)【要約】【課題】かご制御装置の据付配線や保守点検等の作業を、かご内から容易に行うことができるエレベーターのかご制御装置を提供する。【解決手段】エレベーターのかご制御装置において、エレベーターの昇降路内に昇降自在に配置された箱体からなるかごと、前記かごの箱体の前後左右の四側面を構成する外壁と、前記かごの箱体の四側面のうちのいずれかの面に設けられ、前記外壁の内側に所定の間隔を空けて設けられた内壁と、前記かごに設けられた機器を制御するかご制御部と、を備え、前記かご制御部は、前記外壁の前記内壁側の面に、その正面を前記内壁側に向けて設置され、前記内壁の前記かご制御部と対向する位置に、点検カバーにより開閉される点検口が設けられた構成とする。【選択図】図１
2013032192.tif 000002
【特許請求の範囲】
【請求項１】
エレベーターの昇降路内に昇降自在に配置された箱体からなるかごと、
前記かごの箱体の前後左右の四側面を構成する外壁と、
前記かごの箱体の四側面のうちのいずれかの面に設けられ、前記外壁の内側に所定の間隔を空けて設けられた内壁と、
前記かごに設けられた機器を制御するかご制御部と、を備え、
前記かご制御部は、前記外壁の前記内壁側の面に、その正面を前記内壁側に向けて設置され、
前記内壁の前記かご制御部と対向する位置に、点検カバーにより開閉される点検口が設けられたことを特徴とするエレベーターのかご制御装置。
【請求項２】
前記かご制御部を収容するかご制御装置筐体を備え、
前記かご制御装置筐体の前記外壁側の面における上下２箇所に通風口を設けるとともに、前記外壁における前記通風口に対向する位置に開口部を設けて、前記かごの外部と前記かご制御装置筐体の内部と連通し、
前記通風口の外側に、前記かごが昇降した際の走行風を前記かご制御装置筐体内に導く導風板を設けたことを特徴とする請求項１に記載のエレベーターのかご制御装置。
【請求項３】
前記機器からの配線を、前記外壁と前記内壁との間に形成された空間を通して前記かご制御部に接続したことを特徴とする請求項１又は請求項２のいずれかに記載のエレベーターのかご制御装置。
【請求項４】
前記点検カバーのかご内側の面は、鏡面であることを特徴とする請求項１から請求項３のいずれかに記載のエレベーターのかご制御装置。
【発明の詳細な説明】
【技術分野】
【０００１】
この発明は、エレベーターのかご制御装置に関するものである。
【背景技術】
【０００２】
従来におけるエレベーターのかご制御装置においては、ドア制御部や運転スイッチ等を有するかご制御装置をかご上に配置したものとして、かご制御装置を、かごの天井部に開口する救出口を開閉するふたの上面に設置したものが知られている（例えば、特許文献１参照）。
また、インバータ装置や回生抵抗器を有するかご制御装置をかごの側面に配置したものとして、かご制御装置をかごの側板の外側に設け、かごの側板にかご制御装置（インバータ装置）を点検するための点検口を設けたものも知られている（例えば、特許文献２参照）。
【先行技術文献】
【特許文献】
【０００３】
【特許文献１】特開平０６−３２１４６５号公報
【特許文献２】特開２００１−１２２５３７号公報
【発明の概要】
【発明が解決しようとする課題】
【０００４】
しかしながら、特許文献１に示された従来におけるエレベーターのかご制御装置においては、かご制御装置がかご上に設置されているため、かご制御装置の筐体に加え、ドア等のかご機器とかご制御装置とを接続する配線がかご上に配置されることとなり、かご上の作業床スペースが狭くなってしまう。このため、かご制御装置の据付配線や保守点検等の作業を行う作業員は、この狭いかご上の作業床スペースで作業を行うこととなり、作業を容易に行うことができず作業効率が悪化してしまうという課題がある。
【０００５】
また、特許文献２に示された従来におけるエレベーターのかご制御装置においては、かごの側板の外側に設置されているかご制御装置の据付配線や保守点検等の作業を行う作業員は、点検口からかごの外側へと身を乗り出して作業を行わなければならない。従って、無理な姿勢となってしまうため作業を容易に行うことができず作業効率が悪化してしまうという課題がある。
【０００６】
この発明は、このような課題を解決するためになされたもので、かご制御装置の据付配線や保守点検等の作業を、かご内から容易に行うことができるエレベーターのかご制御装置を得るものである。
【課題を解決するための手段】
【０００７】
この発明に係るエレベーターのかご制御装置においては、エレベーターの昇降路内に昇降自在に配置された箱体からなるかごと、前記かごの箱体の前後左右の四側面を構成する外壁と、前記かごの箱体の四側面のうちのいずれかの面に設けられ、前記外壁の内側に所定の間隔を空けて設けられた内壁と、前記かごに設けられた機器を制御するかご制御部と、を備え、前記かご制御部は、前記外壁の前記内壁側の面に、その正面を前記内壁側に向けて設置され、前記内壁の前記かご制御部と対向する位置に、点検カバーにより開閉される点検口が設けられた構成とする。
【発明の効果】
【０００８】
この発明に係るエレベーターのかご制御装置においては、かご制御装置の据付配線や保守点検等の作業を、かご内から容易に行うことができるという効果を奏する。
【図面の簡単な説明】
【０００９】
【図１】この発明の実施の形態１に係るエレベーターのかご制御装置を備えたかごの断面図である。
【図２】この発明の実施の形態１に係るエレベーターのかご制御装置の断面図である。
【図３】この発明の実施の形態１に係るエレベーターのかご制御装置の上面図である。
【図４】この発明の実施の形態１に係るエレベーターのかご制御装置の筐体カバーを取り外した状態の正面図である。
【図５】この発明の実施の形態１に係るエレベーターのかご制御装置の筐体カバーを取り付けた状態の正面図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図５は、この発明の実施の形態１に係るもので、図１はかご制御装置を備えたかごの断面図、図２はかご制御装置の断面図、図３はかご制御装置の上面図、図４はかご制御装置の筐体カバーを取り外した状態の正面図、図５はかご制御装置の筐体カバーを取り付けた状態の正面図である。
【００１２】
図１において、１は、エレベーターの昇降路（図示せず）内に昇降自在に配置され、乗客等を積載してこの昇降路内を昇降するかごである。このかご１は、略直方体状の箱体から構成されている。このかご１の箱体の前面には、図示しない出入口が設けられている。そして、かご１の前面部には、この出入口を開閉するかごドア２が設けられており、このかごドア２の上方側には、かごドア２の開閉動作を駆動するかごドアモータ３が設置されている。
【００１３】
かご１内におけるこの出入口近傍の側壁には、かご１内の乗客が操作するかご操作盤４が設置されている。このかご操作盤４には、乗客が所望する行先階を登録するための行先階ボタンや、かごドア２を開閉させるための戸開ボタン及び戸閉ボタン等が実装されている。
【００１４】
かご１の上面の内側には、天井面５が設けられている。そして、かご１の上面と天井面５との間に形成された天井裏の空間には、かご１内を明るく照らすための照明装置６が設置されている。また、この天井裏には、かご１内の空気を換気するための換気装置７も設置されている。さらに、かご１の上方すなわちかご上には、かご上で点検作業を行っている作業員がかご１を昇降等させるための点検装置８が設置されている。
【００１５】
かご１に設けられた以上のような各種のかご機器（かごドアモータ３、かご操作盤４、照明装置６、換気装置７及び点検装置８）の動作は、かご１に設けられたかご制御部９により制御されている。このかご制御部９の設置箇所について次に説明する。
【００１６】
まず、かご１の箱体の最も外側には、箱体の前後左右の四側面を構成するかご外壁１０が設けられている。そして、かご１の四側面（前面、後面及び左右の両側面）のうちの１つの側面部において、かご外壁１０よりも内側にかご内壁１１が立設されている。ここでは、かご内壁１１はかご１の後面部に設けられているとする。なお、前面にかごドア２が設けられている場合には、このかご内壁１１は前面以外の三側面のうちのいずれかに設けることが望ましい。このかご内壁１１は、かご１の内側の空間の境界を規定していることになる。このかご内壁１１は、かご外壁１０との間に所定の間隔を空けて配置されており、かご外壁１０とかご内壁１１との間には空間が形成されている。
【００１７】
そして、かご制御部９は、このかご外壁１０とかご内壁１１との間に形成された空間内に配設されている。より詳しくは、まず、かご制御部９はかご制御装置筐体１２内に収容されている。そして、かご制御部９を収容するこのかご制御装置筐体１２が、かご外壁１０の内側（すなわち、かご内壁１１側）の面に設置される。
【００１８】
かご内壁１１における、かご制御装置筐体１２の正面に対向する位置には、開口部である点検口１１ａが設けられている。換言すれば、かご外壁１０における、かご１内の作業員がかご内壁１１の点検口１１ａからかご制御装置筐体１２のかご制御部９を視認可能な位置に、かご制御部９を収容したかご制御装置筐体１２が設置されている。そして、かご内壁１１の点検口１１ａが設けられた部分には、点検口１１ａを開閉自在に覆う点検カバー１３が設けられている。
【００１９】
かご１に設けられた各かご機器であるかごドアモータ３、かご操作盤４、照明装置６、換気装置７及び点検装置８は、かご制御装置筐体１２内のかご制御部９と、それぞれ配線により通信可能に接続されている。まず、例えば、かご１の上側に配置されたかごドアモータ３、照明装置６や換気装置７等からの配線は、天井裏の空間を通された上で、天井面５のかご外壁１０とかご内壁１１との間の位置に設けられたかご上部入線口１４に通線されて、かご制御装置筐体１２（かご制御部９）へと至る。また、かご上に設けられた点検装置８からの配線も、同じくかご上部入線口１４を通されてかご制御装置筐体１２（かご制御部９）へと至る。
【００２０】
そして、かご操作盤４からの配線は、一端、かご１の床面の下方すなわち床下を通された上で、かご床面のかご外壁１０とかご内壁１１との間の位置に設けられたかご下部入線口１５に通線されて、かご制御装置筐体１２（かご制御部９）へと至る。また、かご１の運行を含むエレベーターの運転全般は、図示しないエレベーター制御装置により制御されている。このエレベーター制御装置とかご制御部９とを通信可能に接続する制御ケーブル１６も、かご下部入線口１５を通されてかご制御装置筐体１２内のかご制御部９と接続されている。
【００２１】
かご制御装置筐体１２には、かご１の走行中に、かご１の外側をかご１に対して相対的に流れる走行風をかご制御装置筐体１２内へと取り込み、かご制御部９を冷却するための通風部１７が設けられている。この通風部１７は、かご制御装置筐体１２の上下の２箇所に設けられている。かご制御装置筐体１２及びかご制御部９を含むかご制御装置筐体１２内に収容された機器の構成を、図２から図４に示す。上下の通風部１７は、かご制御装置筐体１２の背面及びかご外壁１０に穿設された通風口１７ａと、通風口１７ａの開口部分をかご外壁１０の外側から覆って、かご外壁１０の壁面に沿った方向と平行になるように配置された導風板１７ｂとから、それぞれ構成されている。
【００２２】
すなわち、かご制御装置筐体１２の背面のかご制御部９が配置された箇所の上下の位置には、通風口１７ａがそれぞれ穿設されている。また、これらのかご制御装置筐体１２背面の通風口１７ａに重なるかご外壁１０部分も同じく穿設されて、通風口１７ａの一部を構成しており、これらの通風口１７ａを介してかご制御装置筐体１２内とかご１の外部とが連通されるようになっている。
【００２３】
そして、上側の通風部１７は、かご外壁１０に沿って上方に向けて開口されるように導風板１７ｂが設けられており、下側の通風部１７は、かご外壁１０に沿って下方に向けて開口されるように導風板１７ｂが設けられている。また、上下それぞれの通風口１７ａのかご制御装置筐体１２内側には、かご制御装置筐体１２内に導入される外気から塵や埃等の異物を取り除くためのフィルター１８が取り付けられている。
【００２４】
かご制御装置筐体１２内に収容されているかご制御部９は、制御用の回路を構成する半導体部品等を入れる制御部ケース９ａを有している。そして、この制御部ケース９ａには、通風部１７を介してかご制御装置筐体１２内に導入された外気を、制御部ケース９ａ内を通過させるための制御部通風口１９が設けられている。かご制御部９の回路部品には、発生した熱を逃がすための放熱フィンが取り付けられている。
【００２５】
かご制御装置筐体１２内の上下の通風口１７ａのさらに上方側及び下方側には、各機器からの配線が接続される端子台２０がそれぞれ設けられている。そして、かご制御装置筐体１２の上面及び下面には、各機器からの配線をかご制御装置筐体１２内に入線するための筐体上部入線口２１ａ及び筐体下部入線口２１ｂが、それぞれ設けられている。
【００２６】
かご上部入線口１４を通されたかごドアモータ３、照明装置６、換気装置７及び点検装置８からの配線は、筐体上部入線口２１ａからかご制御装置筐体１２内に入線され、上側の端子台２０に接続される。そして、かご下部入線口１５を通されたかご操作盤４からの配線及び制御ケーブル１６は、筐体下部入線口２１ｂからかご制御装置筐体１２内に入線され、下側の端子台２０に接続される。
【００２７】
かご制御装置筐体１２の正面には、図５に示すように、筐体カバー１２ａがカバー固定ネジ１２ｂにより取り付けられている。そして、カバー固定ネジ１２ｂを緩めて筐体カバー１２ａを取り外すことにより、図４に示すように、かご制御装置筐体１２の正面が開放されて、かご制御装置筐体１２の各機器（かご制御部９、端子台２０等）が露出する。
【００２８】
このように構成されたエレベーターの制御装置においては、通常時には、点検カバー１３が閉じられており、かご１内の乗客がかご制御部９やかご制御装置筐体１２を視認することができないようにされている。この際、点検カバー１３に施錠できるようにして、かご１内の乗客が不用意に点検カバー１３を開くことがないようにしてもよい。
【００２９】
そして、かご制御部９の据付配線や保守点検の作業を行う際には、作業員は、まず、点検カバー１３が開いて点検口１１ａを開口する。この点検口１１ａに対しては、かご制御装置筐体１２の正面が対向するように配置されているため、作業員がかご１内からかご制御装置筐体１２の正面にある筐体カバー１２ａを取り外して、かご制御装置筐体１２内に収容されたかご制御部９や端子台２０に対する作業を行うことができる。
【００３０】
また、乗客によりかご操作盤４や乗場操作盤（図示せず）が操作され、かご１が上昇する場合、かご１に対して相対的に流れる走行風が上側の通風部１７からかご制御装置筐体１２内へと導入される。かご制御装置筐体１２内に取り入れられた外気は、制御部通風口１９から制御部ケース９ａ内を通過し、かご制御部９を強制的に空冷する。そして、かご制御装置筐体１２内から下側の通風部１７を通ってかご１外に排出される。
【００３１】
かご１が下降する場合には、上昇時とは逆に、下側の通風部１７からかご制御装置筐体１２内へと走行風が導入され、かご制御部９を空冷した後、上側の通風部１７を通ってかご１外に排出される。
【００３２】
なお、かご内壁１１に設けられる点検カバー１３のかご１内側の面に鏡を取り付け、あるいは、鏡面加工等することにより、点検カバー１３のかご１内側の面を鏡面としてもよい。このようにすることで、かご１内の乗客は点検カバー１３を点検カバーとしてではなく鏡として見るようになるため、単に点検カバー１３を設けた場合と比較してかご１内の意匠性を向上することが可能である。
【００３３】
以上のように構成されたエレベーターのかご制御装置は、かごを構成する箱体の四側面のうちのいずれかの面において、外壁の内側に所定の間隔を空けて内壁を設け、ご機器を制御するかご制御部を、外壁の内壁側の面に、その正面を内壁側に向けて設置し、内壁のかご制御部と対向する位置に、点検カバーにより開閉される点検口を設けたものである。
このため、かご制御装置の据付配線や保守点検等の作業を、かご内から容易に行うことができるエレベーターのかご制御装置を得るものである。
【００３４】
また、かご機器からの配線を、外壁と内壁との間に形成された空間を通してかご制御部に接続するようにしたため、配線がかご上に配置されることがなくなり、かご上の作業床スペースを広く確保して作業性を向上することができる。
【００３５】
さらに、かご制御部を収容するかご制御装置筐体の外壁側の面における上下２箇所に通風口を設けるとともに、外壁における通風口に対向する位置に開口部を設けて、かごの外部とかご制御装置筐体の内部とを連通した上で、通風口の外側に、かごが昇降した際の走行風をかご制御装置筐体内に導く導風板を設けることで、かごの昇降時に発生する昇降路からの走行風を利用してかご制御装置を効果的に冷却することができる。そして、このため、かご制御装置に設ける放熱フィンを小型化することができ、装置の小型化・減量化を図ることができるとともに、かご制御装置用の冷却ファン等を取り付ける必要性を低下させることができ、消費エネルギー量を低減することが可能である。
【符号の説明】
【００３６】
１    かご
２    かごドア
３    かごドアモータ
４    かご操作盤
５    天井面
６    照明装置
７    換気装置
８    点検装置
９    かご制御部
９ａ  制御部ケース
１０    かご外壁
１１    かご内壁
１１ａ  点検口
１２    かご制御装置筐体
１２ａ  筐体カバー
１２ｂ  カバー固定ネジ
１３    点検カバー
１４    かご上部入線口
１５    かご下部入線口
１６    制御ケーブル
１７    通風部
１７ａ  通風口
１７ｂ  導風板
１８    フィルター
１９    制御部通風口
２０    端子台
２１ａ  筐体上部入線口
２１ｂ  筐体下部入線口
【図１】
2013032192.tif 000003
【図２】
2013032192.tif 000004
【図３】
2013032192.tif 000005
【図４】
2013032192.tif 000006
【図５】
2013032192.tif 000007